(57)【要約】【課題】表示装置に樹脂製カバーを用いた場合でも強度不足を招かないよう的確にカバーできるようにすること。【解決手段】本発明は、バックライト１０と重ね合わせて取り付けられる表示パネル２０と、表示パネル２０のバックライト１０側に取り付けられる下側樹脂カバー３０と、表示パネル２０のバックライト１０と反対側の縁およびバックライト１０の端部にある発光無効領域Ｓを囲む状態に取り付けられる上側樹脂カバー４０と、上側樹脂カバー４０を下側樹脂カバー３０に嵌め込み固定するための爪部３１およびその爪部３１が嵌合する穴部４１とを備える表示装置１であり、爪部３１ａおよび穴部４１ａが、発光無効領域Ｓの部分で、かつ表示パネル２０の縁の延長線上に配置されているものである。また、この表示装置１を本体筐体に取り付けた電子機器でもある。【選択図】　　　　図１
2004133241.tif 000002
【特許請求の範囲】
【請求項１】
背面照明と重ね合わせて取り付けられる表示パネルと、
前記表示パネルの前記背面照明側に取り付けられる下側樹脂カバーと、
前記表示パネルの前記背面照明と反対側の縁および前記背面照明の端部にある発光無効領域を囲む状態に取り付けられる上側樹脂カバーと、
前記上側樹脂カバーを前記下側樹脂カバーに嵌め込み固定するための爪部およびその爪部が嵌合する穴部とを備えており、
前記爪部および穴部は、前記発光無効領域の部分で、かつ前記表示パネルの縁の延長線上に配置されている
ことを特徴とする表示装置。
【請求項２】
前記上側樹脂カバーの前記発光無効領域を囲む部分には、前記上側樹脂カバーと前記下側樹脂カバーとを取り付ける装置の本体筐体へネジで共締めするための取り付け穴が設けられている
ことを特徴とする請求項１記載の表示装置。
【請求項３】
前記上側樹脂カバーの前記発光無効領域を囲む部分には、前記上側樹脂カバーと前記下側樹脂カバーと前記背面照明の金属性反射板とをネジで共締めするための取り付け穴が設けられている
ことを特徴とする請求項１記載の表示装置。
【請求項４】
請求項１記載の表示装置が本体筐体に取り付けられる電子機器において、
前記表示装置における上側樹脂カバーおよび下側樹脂カバーの前記発光無効領域を囲む部分には、前記上側樹脂カバーと前記下側樹脂カバーとを前記本体筐体にネジで共締めするための取り付け穴が設けられている
ことを特徴とする電子機器。
【発明の詳細な説明】
【０００１】
【発明の属する技術分野】
本発明は、背面照明と表示パネルとが重ね合わせて取り付けられる表示装置およびそれを用いた電子機器に関する。
【０００２】
【従来の技術】
表示装置として背面照明（バックライト）を用いる液晶表示ユニットは、薄型、低消費電力等のメリットから多くの電子機器で用いられている。この液晶表示ユニットでは、液晶パネルをモールドユニットへ装着後、金属製カバーを用いて液晶パネルをモールドユニットへ固定し、さらに液晶表示ユニット本体の強度を高めている。
【０００３】
このような液晶表示ユニットを用いた電子機器において、近年では電波を利用してネットワーク接続を行う機能を備えているものも多くなってきている。この際、液晶表示ユニットに金属製カバーを使用した場合、金属製カバーがアンテナの役割を果たして電波を補足してしまい、ネットワークへの接続や通信に支障をきたす可能性がある。
【０００４】
そこで、金属製カバーの変わりにモールドカバーを使用した表示装置が考えられている（例えば、特許文献１、特許文献２参照。）。
【０００５】
【特許文献１】
特開２０００−３１５０５４号公報
【特許文献２】
特開２００２−２２１７０６号公報
【０００６】
【発明が解決しようとする課題】
しかしながら、金属製カバーの変わりにモールドカバーを使用することで電波を利用した通信への支障は回避できるものの、表示装置自体やこれを電子機器に組み込んだ場合の強度不足を招くことになり、表示装置のねじれや反りを発生させて使用上の安心感を損なうという問題が生じている。
【０００７】
【課題を解決するための手段】
本発明は、このような課題を解決するために成されたものである。すなわち、本発明は、背面照明と重ね合わせて取り付けられる表示パネルと、表示パネルの背面照明側に取り付けられる下側樹脂カバーと、表示パネルの背面照明と反対側の縁および背面照明の端部にある発光無効領域を囲む状態に取り付けられる上側樹脂カバーと、上側樹脂カバーを下側樹脂カバーに嵌め込み固定するための爪部およびその爪部が嵌合する穴部とを備える表示装置であり、爪部および穴部が、発光無効領域の部分で、かつ表示パネルの縁の延長線上に配置されているものである。
【０００８】
また、本発明の電子機器は、上記表示装置が本体筐体に取り付けられる電子機器であり、表示装置における上側樹脂カバーおよび下側樹脂カバーの発光無効領域を囲む部分に、上側樹脂カバーと下側樹脂カバーとを本体筐体にネジで共締めするための取り付け穴が設けられているものである。
【０００９】
このような本発明では、上側樹脂カバーを下側樹脂カバーに嵌め込み固定する爪部および穴部が、上側樹脂カバー（もしくは下側樹脂カバー）および下側樹脂カバー（もしくは上側樹脂カバー）の発光無効領域を囲む部分で、かつ表示パネルの縁の延長線上に配置されていることで、上側樹脂カバーおよび下側樹脂カバーの最も幅広の部分で各々を固定でき、しかも表示パネルの縁の部分を確実にカバーできるようになる。
【００１０】
【発明の実施の形態】
以下、本発明の実施の形態を図に基づいて説明する。図１は、本実施形態に係る表示装置を説明する図で、（ａ）は分解平面図、（ｂ）は側面図ある。すなわち、この表示装置１は、背面照明であるバックライト１０と重ね合わせて取り付けられる液晶等の表示パネル２０と、表示パネル２０のバックライト１０側に取り付けられる下側樹脂カバー３０と、表示パネル２０のバックライト１０側と反対側の縁およびバックライト１０の端部にある発光無効領域Ｓを囲む状態に取り付けられる上側樹脂カバー４０とを備えている。
【００１１】
また、下側樹脂カバー３０の縁には複数箇所に爪部３１が設けられており、上側樹脂カバー４０の縁には爪部３１に対応した位置に爪部３１と嵌合する穴部４１が設けられている。
【００１２】
特に、本実施形態の表示装置１では、爪部３１および穴部４１のうち、爪部３１ａおよび穴部４１ａが発光無効領域Ｓを囲む下側樹脂カバー３０および上側樹脂カバー４０の部分で表示パネル２０の縁の延長線上に配置されている点に特徴がある。
【００１３】
このような本実施形態の表示装置１では、下側樹脂カバー３０および上側樹脂カバー４０によって発光無効領域Ｓを囲むために最も幅広となる部分に爪部３１ａおよび穴部４１ａが設けられていることから、この幅広の部分で上側樹脂カバー４０を下側樹脂カバー３０に固定でき、しかも表示パネル２０の縁の部分も確実にカバーできるようになる。
【００１４】
つまり、表示装置１の小型化を図るためには、バックライト１０および表示パネル２０を覆う下側樹脂カバー３０を極力表示パネル２０の大きさに近づける必要があるが、バックライト１０の発光無効領域Ｓの部分は表示パネル２０の幅よりも外側に突出してしまうことになる。
【００１５】
本実施形態では、表示パネル２０の幅より外側に突出する発光無効領域Ｓに上側樹脂カバー４０を固定するための爪部３１ａおよび穴部４１ａを配置することで、幅広の部分での固定を実現でき、樹脂製のカバーを爪部および穴部の嵌合で固定する場合であっても確実な押さえ込みを実現している。
【００１６】
しかも、爪部３１ａおよび穴部４１ａが表示パネル２０の縁の延長線上に配置されることで、上側樹脂カバー４０により最も押さえる必要がある表示パネル２０の縁の部分を効果的にカバーできるようになる。
【００１７】
また、下側樹脂カバー３０および上側樹脂カバー４０の発光無効領域Ｓに対応する幅広の部分には穴Ｈ１、Ｈ２がそれぞれ設けられている。この穴Ｈ１、Ｈ２は上側樹脂カバー４０を下側樹脂カバー３０に取り付けた際に重なり合うよう配置されている。
【００１８】
しかも、下側樹脂カバー３０の穴Ｈ１にはバックライト１０の金属性反射板（リフレクター）１１から延出する部分が巻き込まれるよう配置され、この部分にも穴Ｈ３が設けられている。
【００１９】
したがって、下側樹脂カバー３０に上側樹脂カバー４０を取り付けると全ての穴Ｈ１、Ｈ２、Ｈ３が重なり合う状態となる。本実施形態では、この穴Ｈ１、Ｈ２、Ｈ３にネジを差し込むことで、上側樹脂カバー４０、下側樹脂カバー３０および金属反射板１１を共締めできるようになる。
【００２０】
本実施形態の表示装置１は、図２に示すようなパーソナルコンピュータ等の電子機器１００に適用されるが、電子機器１００の本体筐体１０１に表示装置１を固定するにあたり、先に説明した穴Ｈ１、Ｈ２、Ｈ３に差し込んだネジＮを本体筐体１０１に取り付けることで、このネジＮによって表示装置１の上側樹脂カバー４０、下側樹脂カバー３０および金属反射板１１を共締めしつつ表示装置１を確実に固定できるようになる。
【００２１】
次に、本実施形態に係る表示装置１の組み立て方法を説明する。先ず、図３に示すように、下側樹脂カバー３０にバックライト１０を取り付けた状態で、バックライト１０と表示パネル２０とを重ねるようにして取り付ける。
【００２２】
バックライト１０は発光管（図示せず）と各種の拡散フィルムＦとから構成され、これらが下側樹脂カバー３０に組み込まれる状態となる。また、発光管を覆う金属反射板１１も下側樹脂カバー３０に取り付けられており、その一部に設けられた延出部を、下側樹脂カバー３０の発光無効領域Ｓを覆う部分に折り曲げるように取り付ける。
【００２３】
表示パネル２０にはフレキシブルケーブルＦＫを介して回路基板Ｂが取り付けられている。回路基板Ｂには表示パネル２０を駆動するためのドライバＩＣ等が実装されている。
【００２４】
次に、図４（（ａ）は平面図、（ｂ）は側面図）に示すように、表示パネル２０に取り付けられた回路基板ＢをフレキシブルケーブルＦＫの位置で折り曲げて、下側樹脂カバー３０の表示パネル２０と反対側へ畳み込むようにして取り付ける。
【００２５】
図５は、回路基板Ｂを下側樹脂カバー３０へ取り付けた状態を示しており、（ａ）は正面図、（ｂ）は側面図、（ｂ）は背面図である。図５（ｃ）に示されるように、回路基板Ｂは下側樹脂カバー３０にネジによって固定されている。
【００２６】
次に、図６に示すように、表示パネル２０とバックライト１０とが取り付けられた下側樹脂カバー３０に上側樹脂カバー４０を嵌め込むように固定する。下側樹脂カバー３０の縁には複数箇所に爪部３１が設けられており、この爪部３１の位置に対応して上側樹脂カバー４０に穴部４１が設けられている。したがって、各爪部３１に各穴部４１を嵌合するようにして上側樹脂カバー４０を下側樹脂カバー３０へ嵌め込み固定する。
【００２７】
本実施形態では、下側樹脂カバー３０の図中上辺略中央部に１つ、図中左辺右辺に各々２つ、図中下辺における発光無効領域Ｓの部分で表示パネル２０の縁の延長線上に１つずつ、計７つの爪部３１（３１ａ）が設けられており、各爪部３１の位置に対応して上側樹脂カバー４０に穴部４１（４１ａ）が設けられている。
【００２８】
これら爪部３１（３１ａ）および穴部４１（４１ａ）の嵌合によって上側樹脂カバー４０を下側樹脂カバー３０にネジ等を用いることなく容易に取り付けることができ、しかも上側樹脂カバー４０の各偶部を確実に固定できる。また、爪部３１ａ、穴部４１ａの配置によって、上側樹脂カバー４０を表示パネル２０の縁に沿って浮き上がりなく固定できるようになる。
【００２９】
図７は上側樹脂カバー４０を取り付けた状態を示す図で、（ａ）は正面図、（ｂ）は側面図、（ｃ）は背面図である。上側樹脂カバー４０は下側樹脂カバー３０の外側に被せられる状態で取り付けられており、下側樹脂カバー３０の穴Ｈ１上側樹脂カバー４０の穴Ｈ２と金属反射板１１の穴Ｈ３とが一致している。
【００３０】
このようにして表示装置１が組み立てられることになる。ここで、金属反射板１１は金属板を折り曲げ加工して構成されており、発光管を囲むように取り付けられている。この金属反射板１１は非常に強固であるため下側樹脂カバー３０の長辺方向に沿って取り付けられることで表示装置１の長辺方向の強度を向上させることができる。
【００３１】
また、図７（ｃ）の破線で示すように、金属反射板１１は下側樹脂カバー３０の短辺方向に沿って延出する部分を備えており、下側樹脂カバー３０と固定されている。この延出部分は回路基板Ｂの接地として利用されるものであるが、表示装置１として組み上がった際、この延出部分によって表示装置１の短辺方向の強度をも向上させることができる。
【００３２】
表示装置１として組み上がったあとは、図２に示すような電子機器１００の表示部分に組み込まれる（図中破線参照）。本実施形態の表示装置１では、上辺部分に爪部３２が２箇所設けられており、この爪部３２を本体筐体１０１に嵌め込んだ状態で穴Ｈ１、Ｈ２、Ｈ３にネジＮを貫通させるようにして表示装置１を固定する。このネジＮによって下側樹脂カバー３０、上側樹脂カバー４０および金属反射板１１が本体筐体１０１に共締めされる。
【００３３】
電子機器１００がパーソナルコンピュータの場合には表示装置１の組み込まれた部分（表示部分）がキーボードＫＢの部分（キーボード部分）と別体で設けられ、表示部分をキーボード部分へ倒すように折り畳むことができる。
【００３４】
この折り畳み動作では表示部分の縁を手で持って行うことになるが、本実施形態のように表示装置１が下側樹脂カバー３０と上側樹脂カバー４０とで組み上がっていることで十分な強度を発揮でき、ねじれや反りを防止して使用上の安心感を得ることことが可能となる。しかも樹脂製のカバーによって電波による通信の障害も発生させずに済むことになる。
【００３５】
なお、本実施形態の表示装置１はパーソナルコンピュータから成る電子機器のほか、ＰＤＡ（携帯端末）や携帯電話機など表示装置を備えた電子機器にも適用可能である。
【００３６】
また、本実施形態では、爪部３１（３１ａ）が下側樹脂カバー３０に設けられ、穴部４１（４１ａ）が上側樹脂カバー４０に設けられている例を示したが、反対に爪部が上側樹脂カバー４０に設けられ、穴部が下側樹脂カバー３０に設けられていても同様である。
【００３７】
また、本実施形態の表示装置１では、爪部３１および穴部４１ａとして発光無効領域Ｓにおける表示パネル２０の短辺方向に沿った縁の延長線上に設ける例を示したが、表示パネル２０の長辺方向に沿った縁の延長線上に設けてもよい。これにより、表示パネル２０の長辺方向に沿った縁の上側樹脂カバー４０による押さえを強固にでき、上側樹脂カバー４０の浮き上がりを更に防止できるようになる。
【００３８】
【発明の効果】
以上説明したように、本発明によれば次のような効果がある。すなわち、表示パネルを樹脂製のカバーで覆う構成であっても十分な強度を確保することが可能となる。また、爪部と穴部との嵌合によってカバーを固定でき、表示装置の組み立ても容易となる。
【図面の簡単な説明】
【図１】本実施形態に係る表示装置を説明する図である。
【図２】本実施形態の電子機器を説明する模式斜視図である。
【図３】表示パネルとバックライトとの取り付けを説明する平面図である。
【図４】回路基板の折り曲げを説明する図である。
【図５】回路基板を下側樹脂カバーへ取り付けた状態を示す図である。
【図６】下側樹脂カバーと上側樹脂カバーとが嵌合された状態を示す図である。
【図７】上側樹脂カバーを取り付けた状態を示す図である。
【符号の説明】
１…表示装置、１０…バックライト、１１…金属反射板、２０…表示パネル、３０…下側樹脂カバー、３１…爪部、４０…上側樹脂カバー、４１…穴部、１００…電子機器、Ｂ…回路基板、ＦＫ…フレキシブルケーブル、Ｎ…ネジ、Ｓ…発光無効領域
【図１】
2004133241.tif 000003
【図２】
2004133241.tif 000004
【図３】
2004133241.tif 000005
【図４】
2004133241.tif 000006
【図５】
2004133241.tif 000007
【図６】
2004133241.tif 000008
【図７】
2004133241.tif 000009